(57)【要約】      （修正有）【課題】打設コンクリート内に残留する部分の高さが配筋される鉄筋の高さより低くなるようにしたパイプ支持金具を提供する。【解決手段】雌ネジ部２９が穿設された台板２１、及び、台板２１の雌ネジ部２９に螺合されるネジ棒２２、及び、ネジ棒２２に螺合される調整ナット２３を備え、調整ナット２３の上部にはパイプ１２の支持部が設けられており、台板２１と調整ナット２３との間のネジ棒２２の外周面にはクッション性を有する材料から作製された保護カバー４０が装着されてなり、保護カバー４０の外周面形状は上方から下方に向けて小径のテーパをなしている。【選択図】図３
2013087500.tif 000002
【特許請求の範囲】
【請求項１】
雌ネジ部が穿設された台板、及び、該台板の雌ネジ部に螺合されるネジ棒、及び、該ネジ棒に螺合される調整ナットを備え、該調整ナットの上部にはパイプの支持部が設けられており、前記台板と前記調整ナットとの間の前記ネジ棒の外周面にはクッション性を有する材料から作製された保護カバーが装着されてなることを特徴とするパイプ支持金具。
【請求項２】
前記ネジ棒の上端にはナット部が設けられることを特徴とする請求項１記載のパイプ支持金具。
【請求項３】
前記保護カバーの外周面形状は上方から下方に向けて小径のテーパをなしていることを特徴とする請求項１又は２記載のパイプ支持金具。
【請求項４】
前記保護カバーの外面は防水性を有することを特徴とする請求項１ないし３のいずれか１項に記載のパイプ支持金具。
【請求項５】
前記ナット部の外周にレバーハンドルが設けられることを特徴とする請求項１ないし４のいずれか１項に記載のパイプ支持金具。
【請求項６】
前記レバーハンドルには、上下方向に移動自在にコンクリートの打設面を表示する打設面表示用器具が設けられることを特徴とする請求項１ないし５のいずれか１項に記載のパイプ支持金具。
【発明の詳細な説明】
【技術分野】
【０００１】
本発明は、ベタ基礎へのコンクリート打設用の足場の支柱や橋脚工事用の足場の支柱として使用されるパイプの下端部を支持するためのパイプ支持金具に関する。
【背景技術】
【０００２】
従来のパイプ支持金具は、図５に示すように、中空状の支持金具本体６０の下部に取付板６１を備え、支持金具本体６０の上部には小径部６２が形成され、その内周面には雌ねじが形成されており、棒状の支持軸部６３の外周面に形成した雄ねじを前記小径部６２の雌ねじに対して螺合することにより、高さ調整可能に支持され、支持軸部６３の上端部には円形カップ状の支持部６４が固定されており、この円形カップ状の支持部６４によってパイプ６６の下端部を係合支持するように構成されている。なお、６８はロック用ナット、６９は止水材である。
使用に際しては、円形カップ状の支持部６４の高さをコンクリート６７の打設面より上方に露出する高さに予め調整しておき、支持金具本体６０の下部に設けた取付板６１を介して捨コンクリート６５などの所定位置に固定し、しかる後、足場などのパイプ６６の下端部を円形カップ状の支持部６４に係合支持して、適宜のタイミングで所期のコンクリート６７を打設する。コンクリート６７の打設作業の終了後、図５（ｂ）に示すように、支持軸部６３を回転してその外周面に形成した雄ねじを支持金具本体６０の小径部６２の雌ねじから外して引抜くことにより、支持軸部６３及び円形カップ状の支持部６４を回収して再使用するようになっている（特許文献１参照。）。
【先行技術文献】
【特許文献】
【０００３】
【特許文献１】特開２０１０−１１２０５０号公報（第７、８図）
【発明の概要】
【発明が解決しようとする課題】
【０００４】
しかし、上記した従来のパイプ支持金具は、支持軸部６３を回転して支持金具本体６０から外して引抜くことができるが、支持金具本体６０は打設したコンクリート６７内に残る。支持金具本体６０は、一定の高さを有しているため、コンクリート６７内に一定の高さを有する支持金具本体６０が埋設されて残留することになる。コンクリート６７内に鉄筋が配筋される場合、該鉄筋上面とコンクリート天端の間にコンクリート以外の物が存在する事が許容されない場合がある。このような場合には、上記した従来のパイプ支持金具を用いることができないという問題があった。
【０００５】
本発明は、このような問題点に着目してなされたもので、打設されるコンクリートの個所などに設置されるパイプ支持金具において、打設コンクリート内に残留する部分の高さが配筋される鉄筋の高さより低くなるようにしたパイプ支持金具を提供することを目的とする。
【課題を解決するための手段】
【０００６】
前記課題を解決するために、本発明のパイプ支持金具は、
雌ネジ部が穿設された台板、及び、該台板の雌ネジ部に螺合されるネジ棒、及び、該ネジ棒に螺合される調整ナットを備え、該調整ナットの上部にはパイプの支持部が設けられており、前記台板と前記調整ナットとの間の前記ネジ棒の外周面にはクッション性を有する材料から作製された保護カバーが装着されてなることを特徴としている。
この特徴によれば、調整ナットを回動して足場用のパイプの支持部の高さ位置を自在に調節することができるとともに、コンクリートが打設された後に、台板からネジ棒を緩め、台板だけを残してネジ棒を引き上げることにより、打設コンクリート内に残留する部分の高さを配筋される鉄筋の高さより低くすることができるため、打設コンクリート内の鉄筋の防錆が図られ、耐久性を高めることができる。また、ネジ棒を引き上げる際、クッション性を有する材料から作製された保護カバーがネジ棒と打設されるコンクリートの間に介在されるため、保護カバーが縮径方向に変形することによりネジ棒を容易に引き上げることができる。
【０００７】
本発明のパイプ支持金具は、
前記ネジ棒の上端にはナット部が設けられることを特徴としている。
この特徴によれば、ネジ棒をスパナで回動することができ、ネジ棒の締め付けあるいは緩めの作業が自在にできるとともに、ネジ付きレンチなどをナット部の雌ネジ部に螺合してネジ棒を引き上げることができるため、ネジ棒の引き抜き作業を容易に行うことができる。
【０００８】
本発明のパイプ支持金具は、
前記保護カバーの外周面形状は上方から下方に向けて小径のテーパをなしていることを特徴としている。
この特徴によれば、ネジ棒を引き上げる際、抜き抵抗を一層小さくすることができる。
【０００９】
本発明のパイプ支持金具は、
前記保護カバーの外面は防水性を有することを特徴としている。
この特徴によれば、打設されたコンクリートが保護カバー内に浸透しないため、コンクリートとの剥離性がよい。
【００１０】
本発明のパイプ支持金具は、
前記ナット部の外周にレバーハンドルが設けられることを特徴としている。
この特徴によれば、レバーハンドルを持ってナット部を手動で簡単に回動することができる。
【００１１】
本発明のパイプ支持金具は、
前記レバーハンドルには、上下方向に移動自在にコンクリートの打設面を表示する打設面表示用器具が設けられることを特徴としている。
この特徴によれば、打設されるコンクリートの高さが表示されるため、現場において安心してコンクリートの打設作業を行うことができるものであり、また、足場用パイプが設置される複数の個所で打設されるコンクリートの高さが表示されることから、コンクリートの天端を所定の面に形成することができる。さらに、打設されるコンクリートの高さに応じて表示器具を移動させるだけで種々の高さを表示できる。
【図面の簡単な説明】
【００１２】
【図１】高速道路等の橋脚の工事のための足場の一例を示したもので、（ａ）は正面図、（ｂ）は側面図である。
【図２】図１（ａ）における橋脚のフーチング部を拡大した図である。
【図３】本発明の実施の形態に係るパイプ支持金具の正面図である。
【図４】本発明の実施の形態に係るパイプ支持金具の抜き取り状態を示す正面断面図である。
【図５】従来技術を示す説明図である。
【発明を実施するための形態】
【００１３】
本発明に係るパイプ支持金具を実施するための形態を実施例に基づいて以下に説明する。
【実施例】
【００１４】
図１は、高速道路等の橋脚の工事のための足場の一例を示したもので、（ａ）は正面図、（ｂ）は側面図である。
図１において、橋脚１は２点鎖線で示されており、該橋脚１を囲むように足場用のパイプ１０が構築される。足場用のパイプ１０は、図１（ａ）に示すように、両側のパイプ１１はそれぞれ地面から立設されているが、例えば、中央寄りの５本の足場用のパイプ１２は橋脚１のフーチング部２が設けられる個所から立設されている。この場合、フーチング部２が形成され、躯体コンクリートの打設完了後には、フーチング部２から立設する足場用のパイプ１２を撤去する必要があるため、従来はフーチング部２内に埋設可能な足場用架台（図示せず）を別途設け、該足場用架台で足場用のパイプ１２を支持し、フーチング部２が形成され、躯体コンクリートの打設完了後にパイプ１２を撤去することが行われている。
【００１５】
ところで、足場用のパイプ１２は、その高さ位置の調節のため、その下端にジャッキベースと呼ばれる器具などを介在させ、高さ調節が可能なようにして支持される場合が多い。
しかし、ジャッキベースはコンクリートが打設される個所に使用されるとコンクリートの打設された後にコンクリートから抜き取ることが不可能であるため、例えば、フーチング部２から立設する足場用のパイプ１２を支持する個所に用いることはできず、図５に示すような従来のパイプ支持金具６０が用いられていた。
【００１６】
図２は、図１（ａ）における橋脚のフーチング部を拡大した図である。
橋脚のフーチング部２には、図２に示すように、フーチング部２のコンクリートの天端４から所定高さ低い位置に水平方向に配筋される鉄筋３が鋼製の架台５に支持されて設けられている。この架台５を利用して足場用のパイプ１２を支持する支持金具を設置することは可能であるが、フーチング部２内の鉄筋の防錆を図り、耐久性を高める必要性などから、鉄筋３の上端と天端４との間に支持金具を残存させることが許容されない場合、図５に示す従来のパイプ支持金具６０を用いることはできない。
【００１７】
本発明においては、図１及び２に示すように、パイプ支持金具２０をフーチング部２の鉄筋３を支持する鋼製の架台５に設置するものであって、フーチング部２にコンクリートが打設された後においてフーチング部２の鉄筋３の上端６より上方にはパイプ支持金具２０が残存しないようにしたものである。  
【００１８】
図３は、本発明の実施の形態に係るパイプ支持金具２０の正面図である。
図３において、パイプ支持金具２０は、台板２１、ネジ棒２２、及び、調整ナット２３を主要な構成部材として備えている。
台板２１は、架台５に安定的に支持されるように所定の面積を有する板状部２４と雌ネジ部２６を有するがリング部２５から構成され、板状部２４とリング部２５との合計した高さは、網目状に配筋された鉄筋３の上端６と同じかあるいは低くなるように設定される。板状部２４とリング部２５とは、金属材料などからなり、一体成型で形成されてもよく、また、別体に形成した後、溶接等で一体に形成されてもよい。
【００１９】
ネジ棒２２は、金属製材料製で棒状をなし、外周面には雄ネジ部２７が形成されており、下端部が台板２１の雌ネジ部２６に螺合することにより台板２１とネジ結合される。ネジ棒２２の上端にはナット部２８が形成され、該ナット部２８の外周面にスパナを係合したり、あるいは、雌ネジ部２９にネジ付きレンチなどを係合したりして、ネジ棒２２を回転させて締め付けあるいは緩め作業を行ったり、ネジ棒２２を引き上げることができるようになっている。
【００２０】
調整ナット２３は、ネジ棒２２の雄ネジ部２７に螺合する雌ネジ部が内周面に穿設されており、回動により上下動する。調整ナット２３の上部には足場用のパイプ１２の下端が係合支持される係合部３０が形成され、パイプ１２を支持できるようになっている。図３においては、係合部３０は１つしか示されていないが、複数のパイプに対応できるように、直径の異なる複数の係合部を形成してもよい。
また、調整ナット２３の外周にレバーハンドル３１が１対設けられ、レバーハンドル３１を把持して調整ナット２３を回動できるようになっている。
このため、レバーハンドル３１を把持して調整ナット２３を回動すれば、足場用のパイプ１２の高さ位置を自在に調節することができる。
【００２１】
さらに、レバーハンドル３１には、上下方向に移動自在にコンクリートの打設面を表示する打設面表示用器具３２が設けられている。打設面表示用器具３２は、一方のレバーハンドル３１に軸方向に嵌合する水平スリーブ３３、該水平スリーブ３３に直交する垂直スリーブ３４を備え、水平スリーブ３３及び垂直スリーブ３４は溶接等により一体的に固定されている。垂直スリーブ３４には調節棒３５が嵌合され、上下方向にスライド自在に設けられている。調節棒３５の下端には打設されるコンクリートの天端４を表示する表示板３６が設けられ、表示板３６が所定の表示位置で停止できるように垂直スリーブ３４に蝶ネジ３７が設けられている。表示板３６の所定の位置で蝶ネジ３７を操作して調節棒３５を固定する。また、水平スリーブ３３には止めネジ３８が装着され、レバーハンドル３１に対して水平スリーブ３３を固定できるようになっている。
パイプ支持金具２０に打設面表示用器具３２が装着され、打設されるコンクリートの高さが表示板３６で表示されるため、現場において安心してコンクリートの打設作業を行うことができるものであり、また、足場用パイプが設置される複数の個所でコンクリートの高さが表示されることから、天端４を所定の面に形成することができる。さらに、打設されるコンクリートの高さに応じて表示器具を移動させるだけで種々の高さを表示できる。      
【００２２】
台板２１と調整ナット２３との間のネジ棒２２の外周面にはクッション性を有する材料から作製された保護カバー４０が装着されている。該保護カバー４０の外周面形状は上方から下方に向けて小径のテーパをなしている。また、保護カバー４０の外周面は防水性を有している。保護カバー４０は、本体部４１を、例えば、ウレタン製のスポンジをネジ棒２２外周面に巻き付けるとともに、外周面が下方に向けて小径のテーパ状になるように加工して形成し、その後、該テーパ状の外周面に防水シート４２を添着して形成することもできるが、これに限定されるものではなく、予め厚さが異なるように加工された厚板状のスポンジをネジ棒２２外周面に巻き付けて本体部４１を形成し、これに防水シート４２を添着して形成してもよい。また、保護カバー４０の高さは、架台５からコンクリートの天端４までの距離を考慮して設定されるものであり、天端４から少なくと５０ｍｍ位突出するように設定することが好ましい。
【００２３】
上記のように、保護カバー４０がクッション性を有し、また、外周面が下方に向けて小径のテーパ状をなしているため、コンクリ−トの打設後に、台板２１とネジ棒２２の螺合を解除して保護カバー４０とともにネジ棒２２を上方に抜き取る際、保護カバー４０が容易に縮径方向に変形するため比較的簡単に抜き取ることができる。
また、保護カバー４０の外周面が防水性を有しているため、打設されたコンクリートが保護カバー４０内に浸透しないので、保護カバー４０とコンクリートとの剥離性がよい。
【００２４】
図４は、本発明の実施の形態に係るパイプ支持金具２０の抜き取り状態を示す正面断面図である。
フーチング部２及び躯体のコンクリートの打設が完了した後、足場用のパイプ１２は撤去され、該足場用のパイプ１２を支持してきたパイプ支持金具２０も撤去される。
パイプ支持金具２０の撤去に当たっては、まず、蝶ネジ３７を操作して調節棒３５をコンクリートの天端４より少し上方に引き上げて固定し、ネジ棒２２をレバーハンドル３１を把持して手動で回動するか、あるいは、ナット部２８の外周面にスパナを係合して回動し、台板２１の雌ネジ部２６との螺合を解除する。次に、レバーハンドル３１を把持してネジ棒２２を上方に引き上げるか、あるいは、ナット部２８の雌ネジ部２９にネジ付きレンチ５０などを係合し、ネジ棒２２を上方に引き上げる。その際、保護カバー４０がクッション性を有し、また、外周面が下方に向けて小径のテーパ状をなしているため、比較的容易に引き上げることができる。
台板２１は打設されたコンクリートの内部に残留するが、台板２１の高さは、網目状に配筋された鉄筋３の上端６と同じかあるいは低くなるように設定されているため、フーチング部２内の鉄筋の防錆を図ることができ、耐久性を高めることができる。
ネジ棒２２が引き上げられて形成された孔には、モルタル等が充填される。
【００２５】
抜き取られたネジ棒２２及びナット部２８は、損傷がなく、また弾性変形した、保護カバー４０は弾性復元するため、何度でも再利用可能である。
【００２６】
以上説明したように、本発明のパイプ支持金具２０によれば、ネジ棒２２を被覆した弾性被覆体としての保護カバー４０がネジ棒２２と打設コンクリートとの間に介在され、保護カバー４０が縮径方向に変形するできること、及び、保護カバー４０の外周面が下方に向けて小径のテーパ状をなしているため、ネジ棒２２が、固化し一体化した打設コンクリートから分離でき、打設コンクリートとの一体化に依る引抜き抵抗力を低減して、容易に引抜くことが出来る。
【００２７】
また、保護カバー４０の外周面が防水性を有しているため、打設されたコンクリートが保護カバー４０内に浸透しないため、保護カバー４０とコンクリートとの剥離性がよい。
【００２８】
台板２１は打設されたコンクリートの内部に残留するが、台板２１の高さは、網目状に配筋された鉄筋３の上端６と同じかあるいは低くなるように設定されているため、フーチング部２内の鉄筋の防錆を図ることができ、耐久性を高めることができる。
【００２９】
また、パイプ支持金具２０に打設面表示用器具３２が装着され、コンクリートの天端４が表示板３６で表示されるため、現場において安心してコンクリートの打設作業を行うことができるものであり、また、足場用パイプが設置される複数の個所でコンクリートの天端４が表示されることから、天端４を所定の平面に形成することができる。
【００３０】
また、レバーハンドル３１を把持して調整ナット２３を回動すれば、足場用のパイプ１２の高さ位置を自在に調節することができる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、前記実施例では、本発明のパイプ支持金具が、高速道路等の橋脚１のフーチング部２に立設される足場用のパイプ１２の支持に使用される場合を説明したが、その他、ベタ基礎へのコンクリート打設用の足場の支柱として使用されるパイプの下端部を支持するためにも使用できるものである。
【００３３】
また、例えば、前記実施例では、本発明の保護カバー４０をスポンジからなる本体部４１に防水シート４２を添着して形成しているが、例えば防水シートは、スポンジからなる本体部４１の表面を被膜した防水性を有する被膜素材であってもよい。
【００３４】
また、例えば、台板２１は、架台５に溶接等で固定されてもよいし、ネジで固定されるようにしてもよい。
【符号の説明】
【００３５】
１                橋脚
２                フーチング部
３                鉄筋
４                コンクリートの天端      
５                架台
６                鉄筋の上端
１０              足場用のパイプ
１１              両側のパイプ
１２              中央寄りのパイプ
２０              パイプ支持金具
２１               台板
２２               ネジ棒
２３               調整ナット
２４               板状部
２５               リング部
２６               雌ネジ部
２７               雄ネジ部
２８               ナット部
２９               雌ネジ部
３０               パイプ係合部
３１               レバーハンドル
３２               打設面表示用器具
３３               水平スリーブ
３４               垂直スリーブ
３５               調節棒
３６               表示板
３７               蝶ネジ
３８               止めネジ
４０               保護カバー
４１               本体部
４２               防水シート
５０               ネジ付きレンチ
【図１】
2013087500.tif 000003
【図２】
2013087500.tif 000004
【図３】
2013087500.tif 000005
【図４】
2013087500.tif 000006
【図５】
2013087500.tif 000007
【手続補正書】
【提出日】平成23年11月19日(2011.11.19)
【手続補正１】
【補正対象書類名】特許請求の範囲
【補正対象項目名】請求項５
【補正方法】変更
【補正の内容】
【請求項５】
前記調整ナットの外周にレバーハンドルが設けられることを特徴とする請求項１ないし４のいずれか１項に記載のパイプ支持金物。
【手続補正２】
【補正対象書類名】明細書
【補正対象項目名】００１０
【補正方法】変更
【補正の内容】
【００１０】
本発明のパイプ支持金具は、前記調整ナットの外周にレバーハンドルが設けられることを特徴としている。
この特徴によれば、レバーハンドルを持って調整ナットを手動で簡単に回動することができる。